(57)【要約】【課題】  楽曲等を鑑賞する際に、音響補正による歪を防止しつつ、高ＳＮ比の出力音響信号を得る。【解決手段】  レベル検出部２６０Ａi（ｉ＝Ｌ，Ｒ）が、イコライザ回路２２１Ａiからのイコライザ調整信号ＰＥＳiを受け、所定周期ごとのピークホールドされた調整信号ＰＥＳiの信号レベルを検出する。検出結果は、信号ＬＶＤiとして前段音量指定部２７１Ａiへ向けて送られる。前段音量指定部２７１Ａiにおいては、信号ＬＶＤiに基づいて、前段音量調整回路２１０Ａiに設定する前段減衰率ＶＬＦiが導出され、この前段減衰率ＶＬＦiは、後段音量指定部２７２Ａiへ向けて送られる。後段音量指定部２７２Ａiは、制御部２５２Ａからの総減衰率から前段減衰率ＶＬＦiを減算し、後段音量調整回路２２２Ａiに設定する後段減衰率を導出する。【選択図】  図４
2009077199.tif 000002
【特許請求の範囲】
【請求項１】
入力音響信号に対して前段音量調整を行う前段音量調整手段と；
前記前段音量調整手段から出力された補正前音響信号に音響補正を施した後に、補正結果に対して後段音量調整を行い、出力音響信号を出力する少なくとも１つの音響処理手段と；
前記入力音響信号の信号レベルを考慮しつつ、前記前段音量調整手段における信号減衰率である前段減衰率を制御する前段減衰率制御手段と；
前記前段減衰率、及び、前記音響処理手段ごとの前記入力音響信号に対する前記出力音響信号について指定されている総減衰率に基づいて、前記音響処理手段ごとに前記後段音量調整の際における後段減衰率を制御する後段減衰率制御手段と；
を備えることを特徴とする音響装置。
【請求項２】
前記前段減衰率制御手段は、前記前段減衰率が前記総減衰率よりも大きくならないように、前記前段減衰率を制御する、ことを特徴とする請求項１に記載の音響装置。
【請求項３】
前記音響処理手段ごとに対応して配設され、対応する音響処理手段における前記後段音量調整が行われる直前の信号の信号レベルを検出する検出手段を更に備え、
前記前段減衰率制御手段は、前記検出手段による検出結果に基づいて、前記前段減衰率を制御する、
ことを特徴とする請求項１又は２に記載の音響装置。
【請求項４】
前記音響処理手段の数は複数であり、
前記前段減衰率制御手段は、前記検出手段による検出結果における最大値に基づいて、前記前段減衰率を制御する、
ことを特徴とする請求項３に記載の音響装置。
【請求項５】
前記入力音響信号の信号レベルを検出する検出手段を更に備え、
前記前段減衰率制御手段は、前記検出手段による検出結果、及び、前記音響補正手段ごとの補正態様に基づいて、前記前段減衰率を制御する、
ことを特徴とする請求項１又は２に記載の音響装置。
【請求項６】
前記音響処理手段の数は複数であり、
前記前段減衰率制御手段は、前記検出手段による検出結果、及び、補正結果の信号レベルが最大となる補正態様に基づいて、前記前段減衰率を制御する、
ことを特徴とする請求項５に記載の音響装置。
【請求項７】
前記前段減衰率制御手段及び後段減衰率制御手段は、前記前段減衰率、及び、前記後段減衰率のそれぞれを変化させる場合には、前記入力音響信号に対する前記音響処理手段ごとの出力音響信号の総減衰率を維持しつつ、所定時間をかけて連続的に変化させる、ことを特徴とする請求項１〜６のいずれか一項に記載の音響装置。
【請求項８】
前記音響補正のそれぞれは、イコライジング処理、トーンコントロール処理及びラウドネス処理の少なくとも１つである、ことを特徴とする請求項１〜７のいずれか一項に記載の音響装置。
【請求項９】
前記総減衰率が指定入力される指定入力手段を更に備える、ことを特徴とする請求項１〜８のいずれか一項に記載の音響装置。
【請求項１０】
移動体に搭載される、ことを特徴とする請求項１〜９のいずれか一項に記載の音響装置。
【請求項１１】
入力音響信号に対して前段音量調整を行う前段音量調整工程と；
前記前段音量調整手段から出力された補正前音響信号に音響補正を施した後に、補正結果に対して後段音量調整を行い、出力音響信号を出力する少なくとも１つの音響処理工程と；
前記入力音響信号の信号レベルを考慮しつつ、前記前段音量調整工程における信号減衰率である前段減衰率を制御する前段減衰率制御工程と；
前記前段減衰率、及び、前記音響処理工程ごとの前記入力音響信号に対する前記出力音響信号について指定されている総減衰率に基づいて、前記音響処理工程ごとに前記後段音量調整の際における後段減衰率を制御する後段減衰率制御工程と；
を備えることを特徴とする音量制御方法。
【請求項１２】
請求項１１に記載の音量制御方法を演算手段に実行させる、ことを特徴とする音量制御プログラム。
【請求項１３】
請求項１２に記載の音量制御プログラムが、演算手段により読み取り可能に記録された記録媒体。
【発明の詳細な説明】
【技術分野】
【０００１】
本発明は、音響装置、音量制御方法、音量制御プログラム、及び、当該音量制御プログラムが記録された記録媒体に関する。
【背景技術】
【０００２】
楽曲等の音声を再生する音響装置は、その発展がめざましく、音響信号に対して様々な音響補正を行う音響装置が実用化されている。こうした音響補正を行う音響補正回路としては、イコライザ回路やトーンコントロール回路などが挙げられる。
【０００３】
こうした音響装置において、音響信号に対してイコライザ回路等の音響補正回路によって音響補正を行う場合、当該音響補正回路の前段と後段のそれぞれに音量調整回路を設ける構成が多用されている。このような音響装置に関しては、ダイナミックレンジ内での可能な限り広いレンジでノイズの低減を図る技術が提案されている（特許文献１参照：以下、「従来例」という）。
【０００４】
この従来例の技術は、音響補正回路の前段に設けられた音量調整回路（以下、「前段音量調整回路」ともいう）と、音響補正回路の後段に設けられた音量調整回路（以下、「後段音量調整回路」ともいう）とによる音量調整を連動させて行う技術であり、入力信号レベルに依存せずに定められる音響補正回路による補正態様に対応して、当該補正による歪が発生しないように、前段音量調整回路に設定する減衰率を算出する。そして、利用者による指定等によって定まる総減衰率を実現すべく、後段音量調整回路に設定する減衰率を算出するようになっている。
【０００５】
例えば、音響補正回路がブーストを行うイコライザ回路である場合、当該イコライザ回路によるブ−スト量に応じて前段音量調整回路に設定する減衰率を算出する。そして、総減衰率と、前段音量調整回路に設定する減衰率との差分を、後段音量調整回路に設定する減衰率として算出する。こうして算出された２種類の減衰率が、対応する音量調整回路に設定される。
【０００６】
【特許文献１】特開２００２−２５２５３３号公報
【発明の開示】
【発明が解決しようとする課題】
【０００７】
しかしながら、この従来例の技術では、イコライザ回路の設定値（ブースト量）だけから前段音量調整回路に設定する減衰率を計算している。このため、入力音響信号の入力レベルが小さいが場合等には、補正後の音響信号、ひいては出力音響信号について良好なＳＮ比が得られているとは言い難かった。
【０００８】
このため、音響補正回路において音響補正を行う音響装置において、音響補正による歪の発生を防止しつつ、入力音響信号の信号レベルが小さい場合であっても、補正後の音響信号について良好なＳＮ比を得ることのできる技術が切望されている。かかる要請に応えることが、本発明が解決すべき課題の一つとして挙げられる。
【０００９】
本発明は、上記の事情を鑑みてなされたものであり、音響補正による歪の発生を防止しつつ、入力音響信号の信号レベルにかかわらず、高ＳＮ比の出力音響信号を得ることができる新たな音響装置及び音量制御方法を提供することを目的とする。
【課題を解決するための手段】
【００１０】
請求項１に記載の発明は、入力音響信号に対して前段音量調整を行う前段音量調整手段と；前記前段音量調整手段から出力された補正前音響信号に音響補正を施した後に、補正結果に対して後段音量調整を行い、出力音響信号を出力する少なくとも１つの音響処理手段と；前記入力音響信号の信号レベルを考慮しつつ、前記前段音量調整手段における信号減衰率である前段減衰率を制御する前段減衰率制御手段と；前記前段減衰率、及び、前記音響処理手段ごとの前記入力音響信号に対する前記出力音響信号について指定されている総減衰率に基づいて、前記音響処理手段ごとに前記後段音量調整の際における後段減衰率を制御する後段減衰率制御手段と；を備えることを特徴とする音響装置である。
【００１１】
請求項１１に記載の発明は、入力音響信号に対して前段音量調整を行う前段音量調整工程と；前記前段音量調整手段から出力された補正前音響信号に音響補正を施した後に、補正結果に対して後段音量調整を行い、出力音響信号を出力する少なくとも１つの音響処理工程と；前記入力音響信号の信号レベルを考慮しつつ、前記前段音量調整工程における信号減衰率である前段減衰率を制御する前段減衰率制御工程と；前記前段減衰率、及び、前記音響処理工程ごとの前記入力音響信号に対する前記出力音響信号について指定されている総減衰率に基づいて、前記音響処理工程ごとに前記後段音量調整の際における後段減衰率を制御する後段減衰率制御工程と；を備えることを特徴とする音量制御方法である。
【００１２】
請求項１２に記載の発明は、請求項１１に記載の音量制御方法を演算手段に実行させる、ことを特徴とする音量制御プログラムである。
【００１３】
請求項１３に記載の発明は、請求項１２に記載の音量制御プログラムが、演算手段により読み取り可能に記録された記録媒体である。
【発明を実施するための最良の形態】
【００１４】
以下、本発明の実施形態を、添付図面を参照しつつ説明する。なお、以下の説明においては、同一の又は同等の要素には同一の符号を付し、重複する説明を省略する。
【００１５】
［第１実施形態］
まず、本発明の第１実施形態について、図１〜図５を参照して説明する。なお、本第１実施形態では、音響補正の処理としてイコライジング処理を施す場合を例示して説明する。
【００１６】
＜構成＞
図１には、本第１実施形態に係る音響装置１００Ａの概略的な構成がブロック図にて示されている。
【００１７】
この図１に示されるように、音響装置１００Ａは、制御ユニット１１０Ａと、ドライブユニット１２０とを備えている。また、音響装置１００Ａは、音出力ユニット１３０Lと、音出力ユニット１３０Rとを備えている。
【００１８】
ここで、音出力ユニット１３０Lはレフトスピーカ１３１Lを有し、音出力ユニット１３０Rはライトスピーカ１３１Rを有している。
【００１９】
さらに、音響装置１００Ａは、表示ユニット１４０と、指定入力手段としての操作入力ユニット１５０とを備えている。
【００２０】
なお、制御ユニット１１０Ａ以外の要素１２０〜１５０は、制御ユニット１１０Ａに接続されている。
【００２１】
制御ユニット１１０Ａは、音響装置１００Ａの全体を統括制御する。この制御ユニット１１０Ａの詳細については、後述する。
【００２２】
ドライブユニット１２０は、音声コンテンツが記録されたコンパクトディスクＣＤが挿入されると、その旨を制御ユニット１１０Ａに報告する。そして、ドライブユニット１２０は、コンパクトディスクＣＤが挿入された状態で、制御ユニット１１０Ａから音声コンテンツの再生指令ＤＶＣを受けると、再生指定がなされた音声をコンパクトディスクＣＤから読み出す。かかる音声コンテンツの読み出し結果は、オーディオ信号であるコンテンツデータＣＴＤとして、制御ユニット１１０Ａへ向けて送られる。
【００２３】
音出力ユニット１３０Lは、上述したスピーカ１３１Lの他に、制御ユニット１１０Ａから受信したレフトチャンネルの音声を担う音声出力信号ＡＯＳLを増幅する増幅器を備えている。また、音出力ユニット１３０Rは、上述したスピーカ１３１Rの他に、制御ユニット１１０Ａから受信したライトチャンネルの音声を担う音声出力信号ＡＯＳRを増幅する増幅器とを備えている。これらの音出力ユニット１３０L，１３０Rは、制御ユニット１１０Ａによる制御のもとで、楽曲等を再生して出力する。
【００２４】
表示ユニット１４０は、（ｉ）液晶表示パネル、有機ＥＬ（Electro Luminescence）パネル、ＰＤＰ（Plasma Display Panel）等の表示デバイスと、（ii）制御ユニット１１０Ａから送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、制御ユニット１１０Ａによる制御のもとで、操作ガイダンス情報等を表示する。
【００２５】
操作入力ユニット１５０は、音響装置１００Ａの本体部に設けられたキー部、あるいはキー部を備えるリモート入力装置等により構成される。ここで、本体部に設けられたキー部としては、表示ユニット１４０の表示デバイスに設けられたタッチパネルを用いることができる。なお、キー部を有する構成に代えて、音声入力する構成を採用することもできる。
【００２６】
この操作入力ユニット１５０を利用者が操作することにより、音響装置１００Ａの動作内容の設定が行われる。例えば、音声コンテンツの再生指令、後述する前段音量調整回路及び後段音量調整回路に対して設定する総減衰率の指定、後述するイコライザ回路に対するブースト量、カット量の指定等を、利用者が操作入力ユニット１５０を利用して行う。こうした入力内容は、操作入力データＩＰＤとして、操作入力ユニット１５０から制御ユニット１１０Ａへ向けて送られる。
【００２７】
制御ユニット１１０Ａは、上述したように、音響装置１００Ａの全体を統括制御する。この制御ユニット１１０Ａは、制御処理部１１１Ａと、オーディオ処理部１１２と、音響調整部１１３Ａとを備えている。
【００２８】
制御処理部１１１Ａは、操作入力ユニット１５０に入力された指令入力に基づいて、オーディオ処理部１１２と、音響調整部１１３Ａとを制御する。また、制御処理部１１１Ａは、ドライブユニット１２０及び表示ユニット１４０を制御する。この制御処理部１１１Ａの詳細については、後述する。
【００２９】
オーディオ処理部１１２は、音声コンテンツを含む再生すべきコンテンツの指定入力がなされたことが操作入力ユニット１５０から報告された場合、及び、ドライブユニット１２０にコンパクトディスクＣＤが挿入されたときにコンテンツを自動再生すべき旨の設定がなされている場合に、制御処理部１１１Ａからの音声コンテンツ処理制御指令ＡＰＣに従って、当該再生すべきコンテンツに対応するコンテンツデータＣＴＤをドライブユニット１２０から読み出して展開し、デジタル音データ信号を生成する。引き続き、オーディオ処理部１１２は、生成されたデジタル音データ信号を解析し、デジタル音データ信号に含まれるチャンネル指定情報に従って、デジタル音データ信号を、上述した音出力ユニット１３０L，１３０Rのそれぞれに供給されるように分離する。
【００３０】
また、オーディオ処理部１１２は、当該２種のデジタル音データ信号に対応して、互いに同様に構成された２個のＤＡ（Digital to Analogue）変換器を備えている。そして、オーディオ処理部１１２は、上記のように分離されたデジタル音データ信号を、アナログ音声信号に変換する。このようにして、音出力ユニット１３０L，１３０Rごとに分離された２つのアナログ音声信号は、チャンネル処理信号ＰＣＳL，ＰＣＳRとして、音響調整部１１３Ａへ向けて出力される。
【００３１】
音響調整部１１３Ａは、オーディオ処理部１１２から送られてきたチャンネル処理信号（入力音響信号）ＰＣＳL，ＰＣＳRを処理し、音量調整、音響補正等の音響調整を行う。この音響調整部１１３Ａは、チャンネル処理信号ＰＣＳLに対して音響調整を施す個別音響調整部１１４ＡLと、チャンネル処理信号ＰＣＳRに対して音響調整を施す個別音響調整部１１４ＡRとを備えている。
【００３２】
個別音響調整部１１４Ａi（ｉ＝Ｌ，Ｒ）は、図２に示されるように、前段音量調整手段としての前段音量調整回路２１０Ａiと、音響処理手段としての音響処理部２２０Ａiとを備えている。
【００３３】
前段音量調整回路２１０Ａi（ｉ＝Ｌ，Ｒ）は、オーディオ処理部１１２からのチャンネル処理信号ＰＣＳiを受ける。そして、前段音量調整部２１０Ａiは、制御処理部１１１Ａからの前段音量調整指令ＶＦＣiに従って、チャンネル処理信号ＰＣＳiの音量を調整する。かかる音量調整の結果は、前段音量調整信号（補正前音響信号）ＰＶＳiとして、音響処理部２２０Ａiへ向けて出力される。
【００３４】
音響処理部２２０Ａi（ｉ＝Ｌ，Ｒ）は、イコライザ回路２２１Ａiと、後段音量調整回路２２２Ａiとを備えている。
【００３５】
イコライザ回路２２１Ａi（ｉ＝Ｌ，Ｒ）は、前段音量調整回路２１０Ａiからの前段音量調整信号ＰＶＳiを受ける。そして、イコライザ回路２２１Ａiは、制御処理部１１１Ａからのブースト量、カット量の設定指令ＥＱＣiに従い、前段音量調整信号ＰＶＳiに対して音響補正を行う。かかる音響補正結果は、イコライザ調整信号ＰＥＳiとして、後段音量調整回路２２２Ａiへ向けて出力される。なお、本第１実施形態においては、このイコライザ調整信号ＰＥＳiは、制御処理部１１１Ａへ向けても出力される。
【００３６】
後段音量調整回路２２２Ａi（ｉ＝Ｌ，Ｒ）は、イコライザ回路２２１Ａiからのイコライザ調整信号ＰＥＳiを受ける。そして、後段音量調整回路２２２Ａiは、制御処理部１１１Ａからの後段音量調整指令ＶＢＣiに従って、イコライザ調整信号ＰＥＳiの音量を調整する。かかる音量調整の結果は、音声出力信号ＡＯＳiとして、音出力ユニット１３０iへ向けて出力される。
【００３７】
図１に戻り、制御処理部１１１Ａは、上述した他の構成要素を制御しつつ、音響装置１００Ａの機能を発揮させる。この制御処理部１１１Ａは、図３に示されるように、チャンネル処理信号ＰＣＳLに対して音量制御を実施する個別音量制御部２５１ＡLと、チャンネル処理信号ＰＣＳRに対して音量制御を実施する個別音量制御部２５１ＡRとを備えている。また、制御処理部１１１Ａは、制御部２５２Ａを備えている。
【００３８】
個別音量制御部２５１Ａi（ｉ＝Ｌ，Ｒ）は、図４に示されるように、検出手段としてのレベル検出部２６０Ａiと、個別音量指定部２７０Ａiとを備えている。
【００３９】
レベル検出部２６０Ａi（ｉ＝Ｌ，Ｒ）は、イコライザ回路２２１Ａiからのイコライザ調整信号ＰＥＳiを受ける。このレベル検出部２６０Ａiは、本第１実施形態においては、不図示のピーク値検出回路等を備えて構成されている。この構成においては、レベル検出部２６０Ａiのピーク値検出回路は、例えば、所定周期ごとのイコライザ調整信号ＰＥＳiのピーク値を検出する。この検出結果は、信号ＬＶＤiとして個別音量指定部２７０Ａiへ向けて送られる。
【００４０】
個別音量指定部２７０Ａi（ｉ＝Ｌ，Ｒ）は、前段減衰率制御手段としての前段音量指定部２７１Ａiと、後段減衰率制御手段としての後段音量指定部２７２Ａiとを備えている。
【００４１】
前段音量指定部２７１Ａi（ｉ＝Ｌ，Ｒ）は、レベル検出部２６０Ａiからの信号ＬＶＤi及び制御部２５２Ａからの後述する総減衰率ＶＬＴiを受ける。そして、前段音量指定部２７１Ａiは、これらの信号ＬＶＤi及び総減衰率ＶＬＴiに基づいて、総減衰率ＶＬＴiよりも大きくならない範囲で、前段音量調整回路２１０Ａiに設定する信号減衰率ＶＬＦi（以下、単に「前段減衰率」とも記す）を導出する。そして、前段音量指定部２７１Ａiは、この前段減衰率ＶＬＦiを後段音量指定部２７２Ａiへ向けて送る。この後、前段音量指定部２７１Ａiは、前段減衰率ＶＬＦiが指定された前段音量制御指令ＶＦＣiを、後述する後段音量制御指令ＶＢＣiと同時に、前段音量調整回路２１０Ａiへ向けて発行する。
【００４２】
なお、前段音量指定部２７１Ａiは、前段音量調整信号ＰＶＳiをイコライザ回路２２１Ａiで音響補正した際に、補正後の信号であるイコライザ調整信号ＰＥＳiが歪まない最大音量となるように算出された算出前段減衰率が総減衰率ＶＬＴi以下の場合には、当該算出前段減衰率を前段減衰率ＶＬＦiとして指定する。一方、前段音量指定部２７１Ａiは、算出前段減衰率が総減衰率ＶＬＴiよりも大きい場合には、総減衰率ＶＬＴiを前段減衰率ＶＬＦiとして指定する。この結果、総減衰率ＶＬＴiよりも大きい当該算出前段減衰率を採用し、後段音量調整回路２２２Ａiにおいて増幅して総減衰率ＶＬＴiを維持する場合と比べて、総減衰率ＶＬＴiを維持しつつ、音声出力信号ＡＯＳiにおける歪が発生していない部分のＳＮ比を向上させることができる。
【００４３】
後段音量指定部２７２Ａi（ｉ＝Ｌ，Ｒ）は、制御部２５２Ａからの後述する総減衰率ＶＬＴiを受けるとともに、前段音量指定部２７１Ａiからの前段減衰率ＶＬＦiを受ける。そして、後段音量指定部２７２Ａiは、総減衰率ＶＬＴiから前段減衰率ＶＬＦiを減算し、後段音量調整回路２２２Ａiに設定する信号減衰率（以下、単に「後段減衰率」とも記す）を導出する。引き続き、後段音量指定部２７２Ａiは、後段減衰率が指定された後段音量制御指令ＶＢＣiを、前述した前段音量制御指令ＶＦＣiと同時に、後段音量調整回路２２２Ａiへ向けて発行する。
【００４４】
図３に戻り、制御部２５２Ａは、操作入力ユニット１５０から受けた操作入力データＩＰＤを解析し、音響調整部１１３Ａにおける上述した音響信号に対して、音量調整、音響補正等の音響調整の動作制御を行う。
【００４５】
かかる音響調整の動作の制御に際して、制御部２５２Ａは、操作入力データＩＰＤを解析し、指定された総減衰率ＶＬＴi（ｉ＝Ｌ，Ｒ）を、個別音量制御部２５１Ａiへ向けて送る。
【００４６】
また、制御部２５２Ａは、かかる音響調整の動作の制御に際して、操作入力データＩＰＤを解析し、ブースト量、カット量の設定指令ＥＱＣi（ｉ＝Ｌ，Ｒ）を、個別音響調整部１１４Ａiへ向けて送る。
【００４７】
また、制御部２５２Ａは、利用者が再生すべき音声コンテンツの指定を支援するための案内画面を表示ユニット１４０に表示させる。そして、操作入力ユニット１５０から音声コンテンツを指定した再生指令が入力されると、制御部２５２Ａは、ドライブユニット１２０を制御して、再生コンテンツのデータ読み出しを制御する。
【００４８】
また、制御部２５２Ａは、オーディオ処理部１１２を制御して、コンテンツデータＣＴＤを２個のチャンネル処理信号ＰＣＳL，ＰＣＳRに分離させる。
【００４９】
＜動作＞
次に、上記のように構成された音響装置１００Ａの動作について、音響調整部１１３Ａにおける音響信号の音響調整処理の動作に主に着目して説明する。
【００５０】
前提として、イコライザ回路２２１Ａi（ｉ＝Ｌ，Ｒ）に設定するブースト量，カット量は、利用者により操作入力ユニット１５０を利用して、設定されているものとする。
【００５１】
利用者が操作入力ユニット１５０に音声コンテンツを指定した再生指令を入力することにより、音響装置１００Ａにおける音響信号の音響調整処理の動作が開始する。操作入力ユニット１５０からの再生指令を受けた制御処理部１１１Ａは、ドライブユニット１２０を制御して、当該音声コンテンツのデータ読み出す。こうして読み出されたデータは、コンテンツデータＣＴＤとしてオーディオ処理部１１２へ向けて送られる。コンテンツデータＣＴＤを受けたオーディオ処理部１１２は、制御処理部１１１Ａによる制御のもとで、コンテンツデータＣＴＤを、２個のチャンネル処理信号ＰＣＤL，ＰＣＤRに分離する。
【００５２】
こうして分離されたチャンネル処理信号ＰＣＤL，ＰＣＤRは、音響調整部１１３Ａへ向けて送られる。ここで、チャンネル処理信号ＰＣＤLは音響調整部１１３Ａの個別音響調整部１１４ＡLへ向けて送られ、チャンネル処理信号ＰＣＤRは音響調整部１１３Ａの個別音響調整部１１４ＡRへ向けて送られる（図１参照）。
【００５３】
チャンネル処理信号ＰＣＳi（ｉ＝Ｌ，Ｒ）を受けた個別音響調整部１１４Ａiでは、まず、前段音量調整回路２１０Ａiにおいて、制御処理部１１１Ａからの前段音量調整指令ＶＦＣiに従った音量調整が行われる。次いで、前段音量調整回路２１０Ａiにおいて音量調整が施された前段音量調整信号ＰＶＳiは、イコライザ回路２２１Ａiへ向けて出力され、当該イコライザ回路２２１Ａiにおいて音響補正が行われる。補正後の信号であるイコライザ調整信号ＰＥＳiは、後段音量調整回路２２２Ａiと制御処理部１１１Ａへ向けて送られ、後段音量調整回路２２２Ａiへ向けて送られたイコライザ調整信号ＰＥＳiについては、制御処理部１１１Ａからの後段音量調整指令ＶＢＣiに従った音量調整が行われる（図２参照）。
【００５４】
かかる前段音量調整指令ＶＦＣiと後段音量調整指令ＶＢＣiは、制御処理部１１１Ａの個別音量制御部２５１Ａiにおいて発行される（図３参照）。個別音量制御部２５１Ａiにおいては、まず、レベル検出部２６０Ａiがイコライザ回路２２１Ａiからのイコライザ調整信号ＰＥＳiを受け、ピーク値を検出する。この検出結果は、信号ＬＶＤiとして前段音量指定部２７１Ａiへ向けて送る（図４参照）。
【００５５】
次いで、信号ＬＶＤiを受けた前段音量指定部２７１Ａiは、この信号ＬＶＤiの大きさ及び制御部２５２Ａからの総減衰率ＶＬＴiに基づいて、上述したようにして、前段音量調整回路２１０Ａiに設定する前段減衰率ＶＬＦiを導出する。この後、前段音量指定部２７１Ａiは、前段減衰率ＶＬＦiを後段音量指定部２７２Ａiへ向けて送る。
【００５６】
後段音量指定部２７２Ａiは、制御部２５２Ａからの総減衰率ＶＬＴiを受けるとともに、前段音量指定部２７１Ａiからの前段減衰率ＶＬＦiを受ける。そして、後段音量指定部２７２Ａiは、総減衰率ＶＬＴiから前段減衰率ＶＬＦiを減算し、後段音量調整回路２２２Ａiに設定する後段減衰率を導出する。
【００５７】
こうして前段減衰率ＶＬＦiと後段減衰率が導出されると、前段音量指定部２７１Ａiは、前段減衰率ＶＬＦiが指定された前段音量制御指令ＶＦＣiを生成し、この前段音量制御指令ＶＦＣiを前段音量調整回路２１０Ａiへ向けて発行する。また、後段音量指定部２７２Ａiは、後段減衰率が指定された後段音量制御指令ＶＢＣiを生成し、この後段音量制御指令ＶＢＣiを後段音量調整回路２２２Ａiへ向けて発行する（図４参照）。
【００５８】
なお、前段音量調整指令ＶＦＣiと後段音量調整指令ＶＢＣiは、それぞれ、同時に前段音量調整回路２１０Ａiと後段音量調整回路２２２Ａiへ向けて発行され、図５に示されるように、各音量調整回路に設定される減衰率は、所定時間ＴＴをかけて連続的に変化する。この所定時間ＴＴは、聴取者に音量変動の違和感を与えない時間となっており、実験、シミュレーション、経験等に基づいて予め定められる。
【００５９】
このようにして音響調整部１１３Ａにおいて音響調整処理が施された信号は、音声出力信号ＡＯＳL，ＡＯＳRとして、音出力ユニット１３０L，１３０Rへ向けて送られる（図１参照）。そして、その調整結果に基づく再生音声がスピーカ１３１L，１３１Rから、音場空間へ向けて出力される。
【００６０】
以上説明したように、本第１実施形態では、イコライザ回路２２１Ａi（ｉ＝Ｌ，Ｒ）から出力されるイコライザ調整信号ＰＥＳiのレベルを検出し、この検出結果に基づいて、前段音量調整回路２１０Ａiに設定する前段減衰率ＶＬＦiを導出する。ここで、レベル検出を行ったイコライザ調整信号ＰＥＳiは、入力音響信号であるチャンネル処理信号ＰＣＳiとイコライザ回路２２１Ａiに設定したカット量及びカット量を反映したものとなっている。このため、導出した前段減衰率ＶＬＦiは、音響補正後の信号であるイコライザ調整信号ＰＥＳiが歪まない最大音量となるように指定することができる。これにより、イコライザ調整信号ＰＥＳiが歪むことなく、かつ、出力音響信号である音声出力信号ＡＯＳiのＳＮ比を良好にすることができる。
【００６１】
また、本第１実施形態では、後段音量調整回路２２２Ａiに設定する後段減衰率は、総減衰率ＶＬＴiから前段減衰率ＶＬＦiを減算することにより導出する。このため、利用者は、音量調整に関しては総減衰率ＶＬＴiのみを指定すればよく、前段音量調整回路２１０Ａiと後段音量調整回路２２２Ａiの制御を簡略化することができる。
【００６２】
また、本第１実施形態では、前段音量調整回路２１０Ａiと後段音量調整回路２２２Ａiに設定する各減衰率を変化させる際に、所定時間をかけて連続的に変化させる。このため、各減衰率を瞬時に切り換えた場合に発生するパルスの発生を防ぐことができる。
【００６３】
また、本第１実施形態では、前段減衰率ＶＬＦiの導出に際して、前段音量指定部２７１Ａiは、前段音量調整信号ＰＶＳiをイコライザ回路２２１Ａiで音響補正した際に、補正後の信号であるイコライザ調整信号ＰＥＳiが歪まない最大音量となるように算出された算出前段減衰率が総減衰率ＶＬＴi以下の場合には、当該算出前段減衰率を前段減衰率ＶＬＦiとして導出する。一方、前段音量指定部２７１Ａiは、算出前段減衰率が総減衰率ＶＬＴiよりも大きい場合には、総減衰率ＶＬＴiを前段減衰率ＶＬＦiとして導出する。
【００６４】
したがって、本第１実施形態によれば、楽曲等を鑑賞する際に、音響補正による歪の発生を防止しつつ、入力音響信号の信号レベルにかかわりなく、高ＳＮ比の音響信号を得ることができる。
【００６５】
［第２実施形態］
次に、本発明の第２実施形態について、主に図６〜図９を参照しつつ、適宜他の図を参照して説明する。なお、本第２実施形態においても、音響補正の処理としてイコライジング処理を施す場合を例示して説明する。
【００６６】
＜構成＞
図６には、本第２実施形態に係る音響装置１００Ｂの概略的な構成がブロック図にて示されている。以下、上記の第１実施形態に係る音響装置１００Ａとの相違点に主に着目して、音響装置１００Ｂの構成を説明する。
【００６７】
この図６に示されるように、音響装置１００Ｂは、音響装置１００Ａと比べて、制御ユニット１１０Ａに代えて制御ユニット１１０Ｂを備える点、音出力ユニット１３０Lに代えて音出力ユニット１３０L1と音出力ユニット１３０L2とを備える点、及び、音出力ユニット１３０Rに代えて音出力ユニット１３０R1と音出力ユニット１３０R2とを備える点が異なっている。
【００６８】
ここで、音出力ユニット１３０L1は第１レフトスピーカ１３１L1を有し、音出力ユニット１３０L2は第２レフトスピーカ１３１L2を有している。また、音出力ユニット１３０R1は第１ライトスピーカ１３１R1を有し、音出力ユニット１３０R2は第２ライトスピーカ１３１R2を有している。
【００６９】
制御ユニット１１０Ｂは、音響装置１００Ｂの全体を統括制御する。この制御ユニット１１０Ｂの詳細については、後述する。
【００７０】
音出力ユニット１３０L1，１３０L2のそれぞれは、上述したスピーカ１３１L1，１３０L2の他に、制御ユニット１１０Ｂから受信したレフトチャンネルの音声を担う音声出力信号ＡＯＳL1，ＡＯＳL2を増幅する増幅器を備えている。また、音出力ユニット１３０R1，１３０R2のそれぞれは、上述したスピーカ１３１R1，１３１R2の他に、制御ユニット１１０Ｂから受信したライトチャンネルの音声を担う音声出力信号ＡＯＳR1，ＡＯＳR2を増幅する増幅器とを備えている。これらの音出力ユニット１３０L1，１３０L2，１３０R1，１３０L2は、制御ユニット１１０Ｂによる制御のもとで、楽曲等を再生して出力する。
【００７１】
制御ユニット１１０Ｂは、上述したように、音響装置１００Ｂの全体を統括制御する。この制御ユニット１１０Ｂは、第１実施形態における制御ユニット１１０Ａと比べて、制御処理部１１１Ａに代えて制御処理部１１１Ｂを備える点と、音響調整部１１３Ａに代えて音響調整部１１３Ｂを備える点が異なっている。
【００７２】
制御処理部１１１Ｂは、操作入力ユニット１５０に入力された指令入力に基づいて、オーディオ処理部１１２と、音響調整部１１３Ｂとを制御する。また、制御処理部１１１Ｂは、ドライブユニット１２０及び表示ユニット１４０を制御する。この制御処理部１１１Ｂの詳細については、後述する。
【００７３】
音響調整部１１３Ｂは、第１実施形態における音響調整部１１３Ａと比べて、個別音響調整部１１４ＡLに代えて個別音響調整部１１４ＢLを備える点と、個別音響調整部１１４ＡRに代えて個別音響調整部１１４ＢRを備える点が異なっている。
【００７４】
個別音響調整部１１４Ｂi（ｉ＝Ｌ，Ｒ）は、図７に示されるように、第１実施形態における個別音響調整部１１４Ａiと比べて、前段音量調整回路２１０Ａiに代えて前段音量調整手段としての前段音量調整回路２１０Ｂiを備える点と、音響処理部２２０Ａiに代えて音響処理手段としての音響処理部２２０Ｂi1と音響処理部２２０Ｂi2とを備えている点が異なっている。
【００７５】
前段音量調整回路２１０Ｂi（ｉ＝Ｌ，Ｒ）は、上述した前段音量調整回路２１０Ａiと同様に構成されている。この前段音量調整回路２１０Ｂiは、音量調整の結果である前段音量調整信号ＰＶＳiを、音響処理部２２０Ｂi1及び音響処理部２２０Ｂi2へ向けて出力するようになっている。
【００７６】
音響処理部２２０Ｂij（ｉ＝Ｌ，Ｒ；ｊ＝１，２）は、上述したイコライザ回路２２１Ａiと同様に構成されたイコライザ回路２２１Ｂijと、上述した後段音量調整回路２２２Ａiと同様に構成された後段音量調整回路２２２Ｂijとを備えている。
【００７７】
イコライザ回路２２１Ｂij（ｉ＝Ｌ，Ｒ；ｊ＝１，２）は、前段音量調整回路２１０Ｂiからの前段音量調整信号ＰＶＳiを受ける。そして、イコライザ回路２２１Ｂijは、制御処理部１１１Ｂからの設定指令ＥＱＣijに従い、前段音量調整信号ＰＶＳiの音響補正を行ない、補正結果をイコライザ調整信号ＰＥＳijとして、後段音量調整回路２２２Ｂijへ向けて出力する。なお、本第２実施形態においては、このイコライザ調整信号ＰＥＳijは、制御処理部１１１Ｂへ向けても出力される。
【００７８】
後段音量調整回路２２２Ｂij（ｉ＝Ｌ，Ｒ；ｊ＝１，２）は、イコライザ回路２２１Ｂijからのイコライザ調整信号ＰＥＳijを受ける。そして、後段音量調整回路２２２Ｂijは、制御処理部１１１Ｂからの後段音量調整指令ＶＢＣijに従って、イコライザ調整信号ＰＥＳijの音量を調整する。かかる音量調整の結果は、音声出力信号ＡＯＳijとして、音出力ユニット１３０ijへ向けて出力される。
【００７９】
図６に戻り、制御処理部１１１Ｂは、上述した他の構成要素を制御しつつ、音響装置１００Ｂの機能を発揮させる。この制御処理部１１１Ｂは、図８に示されるように、第１実施形態における制御処理部１１１Ａと比べて、個別音量制御部２５１ＡLに代えて個別音量制御部２５１ＢLを備える点と、個別音量制御部２５１ＡRに代えて個別音量制御部２５１ＢRを備える点と、制御部２５２Ａに代えて制御部２５２Ｂを備える点が異なっている。
【００８０】
個別音量制御部２５１Ｂi（ｉ＝Ｌ，Ｒ）は、図９に示されるように、第１実施形態における個別音量制御部２５１Ａiと比べて、レベル検出部２６０Ａiに代えてレベル検出部２６０Ｂi1とレベル検出部２６０Ｂi2とを備える点と、個別音量指定部２７０Ａiに代えて個別音量指定部２７０Ｂiを備える点が異なっている。
【００８１】
レベル検出部２６０Ｂij（ｉ＝Ｌ，Ｒ；ｊ＝１，２）のそれぞれは、第１実施形態におけるレベル検出部２６０Ａiと同様に、不図示のピーク値検出回路等を備えて構成されている。
【００８２】
レベル検出部２６０Ｂi1（ｉ＝Ｌ，Ｒ）は、イコライザ回路２２１Ｂi1からのイコライザ調整信号ＰＥＳi1を受ける。そして、レベル検出部２６０Ｂi1のピーク値検出回路は、イコライザ調整信号ＰＥＳiのピーク値を検出する。この検出結果は、信号ＬＶＤi1として、個別音量指定部２７０Ｂiへ向けて送られる。
【００８３】
また、レベル検出部２６０Ｂi2（ｉ＝Ｌ，Ｒ）は、イコライザ回路２２１Ｂi2からのイコライザ調整信号ＰＥＳi2を受ける。そして、レベル検出部２６０Ｂi2のピーク値検出回路には、イコライザ調整信号ＰＥＳiのピーク値を検出する。この検出結果は、信号ＬＶＤi2として個別音量指定部２７０Ｂiへ向けて送られる。
【００８４】
個別音量指定部２７０Ｂi（ｉ＝Ｌ，Ｒ）は、第１実施形態における個別音量指定部２７０Ｂiと比べて、前段音量指定部２７１Ａiに代えて前段音量指定部２７１Ｂiを備える点と、後段音量指定部２７１Ａiに代えて後段音量指定部２７１Ｂi1と後段音量指定部２７１Ｂi1とを備える点が異なっている。
【００８５】
前段音量指定部２７１Ｂi（ｉ＝Ｌ，Ｒ）は、レベル検出部２６０Ｂi1からの信号ＬＶＤi1及びレベル検出部２６０Ｂi2からの信号ＬＶＤi2のうちでより大きなレベル値の信号、並びに制御部２５２Ｂからの後述する総減衰率ＶＬＴi1,ＶＬＴi2を受ける。そして、前段音量指定部２７１Ｂiは、信号ＬＶＤi1,信号ＬＶＤi2及び総減衰率ＶＬＴi1，ＶＬＴi2に基づいて、総減衰率ＶＬＴi1，ＶＬＴi2のうちで大きくない総減衰率（以下、「最小総減衰率」ともいう）よりも大きくならない範囲で、前段音量調整回路２１０Ｂiに設定する前段信号減衰率ＶＬＦiを導出する。そして、前段音量指定部２７１Ｂiは、この前段減衰率ＶＬＦiを後段音量指定部２７２Ｂi1へ向けて送るとともに、後段音量指定部２７２Ｂi2へ向けて送る。この後、前段音量指定部２７１Ｂiは、前段減衰率ＶＬＦiが指定された前段音量制御指令ＶＦＣiを、後述する後段音量制御指令ＶＢＣi1，ＶＢＣi2と同時に、前段音量調整回路２１０Ｂiへ向けて発行する。
【００８６】
なお、前段音量指定部２７１Ｂiは、第１実施形態の場合と同様に、前段音量調整信号ＰＶＳiをイコライザ回路２２１Ｂi1，２２１Ｂi2で音響補正した際に、補正後の信号であるイコライザ調整信号ＰＥＳi1，ＰＥＳi2が歪まない最大音量となるように算出された算出前段減衰率が最小総減衰率以下の場合には、当該算出前段減衰率を前段減衰率ＶＬＦiとして指定する。一方、前段音量指定部２７１Ｂiは、算出前段減衰率が最小総減衰率よりも大きい場合には、最小総減衰率を前段減衰率ＶＬＦiとして指定する。この結果、最小総減衰率よりも大きい当該算出前段減衰率を採用し、後段音量調整回路２２２Ｂijに（ｊ＝１，２）において増幅して総減衰率ＶＬＴijを維持する場合と比べて、総減衰率ＶＬＴijを維持しつつ、音声出力信号ＡＯＳijにおける歪が発生していない部分のＳＮ比を向上させることができる。
【００８７】
後段音量指定部２７２Ｂi1（ｉ＝Ｌ，Ｒ）は、制御部２５２Ｂからの後述する総減衰率ＶＬＴi1を受けるとともに、前段音量指定部２７１Ｂiからの前段減衰率ＶＬＦiを受ける。そして、後段音量指定部２７２Ｂi1は、総減衰率ＶＬＴi1から前段減衰率ＶＬＦiを減算し、後段音量調整回路２２２Ｂi1に設定する後段信号減衰率を導出する。引き続き、後段音量指定部２７２Ｂi1は、後段減衰率が指定された後段音量制御指令ＶＢＣi1を生成し、前述した前段音量制御指令ＶＦＣi及び後述する後段音量制御指令ＶＢＣi2と同時に、後段音量調整回路２２２Ｂi1へ向けて発行する。
【００８８】
また、後段音量指定部２７２Ｂi2（ｉ＝Ｌ，Ｒ）は、制御部２５２Ｂからの後述する総減衰率ＶＬＴi2を受けるとともに、前段音量指定部２７１Ｂiからの前段減衰率ＶＬＦiを受ける。そして、後段音量指定部２７２Ｂi2は、総減衰率ＶＬＴi2から前段減衰率ＶＬＦiを減算し、後段音量調整回路２２２Ｂi2に設定する後段信号減衰率を導出する。引き続き、後段音量指定部２７２Ｂi2は、この後段減衰率が指定された後段音量制御指令ＶＢＣi2を生成し、前述した前段音量制御指令ＶＦＣi及び後段音量制御指令ＶＢＣi1と同時に、後段音量調整回路２２２Ｂi2へ向けて発行する。
【００８９】
図８に戻り、制御部２５２Ｂは、操作入力ユニット１５０から受けた操作入力データＩＰＤを解析し、音響調整部１１３Ｂにおける音響信号に対して、音量調整、音響補正等の音響調整の動作制御を行う。
【００９０】
かかる音響調整の動作の制御に際して、制御部２５２Ｂは、操作入力データＩＰＤを解析し、指定された総減衰率ＶＬＴi1，ＶＬＴi2（ｉ＝Ｌ，Ｒ）を、個別音量制御部２５１Ｂiへ向けて送る。
【００９１】
また、制御部２５２Ｂは、かかる音響調整の動作の制御に際して、操作入力データＩＰＤを解析し、ブースト量、カット量の設定指令ＥＱＣi1，ＥＱＣi2（ｉ＝Ｌ，Ｒ）を、個別音量調整部１１４Ｂiへ向けて送る。
【００９２】
＜動作＞
次に、上記のように構成された音響装置１００Ｂの動作について、音響調整部１１３Ｂにおける音響信号の音響調整処理の動作に主に着目して説明する。
【００９３】
前提として、第１実施形態の場合と同様に、イコライザ回路２２１Ｂi1，２２１Ｂi2（ｉ＝Ｌ，Ｒ）に設定するブースト量，カット量は、利用者により操作入力ユニット１５０を利用して、設定されているものとする。
【００９４】
利用者が操作入力ユニット１５０に音声コンテンツを指定した再生指令を入力することにより、音響装置１００Ｂにおける音響信号の音響調整処理の動作が開始する。操作入力ユニット１５０からの再生指令を受けた制御処理部１１１Ｂは、ドライブユニット１２０を制御して、当該音声コンテンツのデータ読み出す。こうして読み出されたデータは、コンテンツデータＣＴＤとしてオーディオ処理部１１２へ向けて送られる。コンテンツデータＣＴＤを受けたオーディオ処理部１１２は、制御処理部１１１Ｂによる制御のもとで、コンテンツデータＣＴＤを、２個のチャンネル処理信号ＰＣＤL，ＰＣＤRに分離する。
【００９５】
こうして分離されたチャンネル処理信号ＰＣＤLは、音響調整部１１３Ｂの個別音響調整部１１４ＢLへ向けて送られる。また、チャンネル処理信号ＰＣＤRは、音響調整部１１３Ｂの個別音響調整部１１４ＢRへ向けて送られる（図６参照）。
【００９６】
チャンネル処理信号ＰＣＳi（ｉ＝Ｌ，Ｒ）を受けた個別音響調整部１１４Ｂiのそれぞれにおいては、まず、前段音量調整回路２１０Ｂiにおいて、制御処理部１１１Ｂからの前段音量調整指令ＶＦＣiに従った音量調整が行われる。次いで、前段音量調整回路２１０Ｂiにおいて音量調整が施された前段音量調整信号ＰＶＳiは、イコライザ回路２２１Ｂi1へ向けて出力されるとともに、イコライザ回路２２１Ｂi2へ向けて出力される。
【００９７】
イコライザ回路２２１Ｂij（ｉ＝Ｌ，Ｒ；ｊ＝１，２）では、前段音量調整信号ＰＶＳiの音響補正が行われ、補正後のイコライザ調整信号ＰＥＳijが、後段音量調整回路２２２Ｂijへ向けて出力される。イコライザ調整信号ＰＥＳijを受けた後段音量調整回路２２２Ｂijでは、制御処理部１１１Ｂからの後段音量調整指令ＶＢＣijに従った音量調整が行われる（図７参照）。
【００９８】
かかる前段音量調整指令ＶＦＣi及び後段音量調整指令ＶＢＣi1，ＶＢＣi2は、制御処理部１１１Ｂの個別音量制御部２５１Ｂiにおいて発行される（図８参照）。個別音量制御部２５１Ｂiにおいては、まず、レベル検出部２６０Ｂi1がイコライザ回路２２１Ｂi1からのイコライザ調整信号ＰＥＳi1を受け、ピーク値を検出する。この検出結果は、信号ＬＶＤi1として前段音量指定部２７１Ｂiへ向けて送られる。同様に、レベル検出部２６０Ｂi2がイコライザ回路２２１Ｂi2からのイコライザ調整信号ＰＥＳi2を受け、ピーク値を検出する。この検出結果は、信号ＬＶＤi2として前段音量指定部２７１Ｂiへ向けて送られる（図９参照）。
【００９９】
次いで、信号ＬＶＤi1と信号ＬＶＤi2を受けた前段音量指定部２７１Ｂiは、信号ＬＶＤi1と信号ＬＶＤi2の信号レベルを比較する。そして、前段音量指定部２７１Ｂiは、レベル値が大きい信号及び制御部２５２Ｂからの総減衰率ＶＬＴi1,ＶＬＴi2に基づいて、上述したようにして、前段音量調整回路２１０Ｂiに設定する前段減衰率ＶＬＦiを導出する。この後、前段音量指定部２７１Ｂiは、前段減衰率ＶＬＦiを後段音量指定部２７２Ｂi1へ向けて送るとともに、後段音量指定部２７２Ｂi2へ向けて送る。
【０１００】
後段音量指定部２７２Ｂi1は、制御部２５２Ｂからの総減衰率ＶＬＴi1を受けるとともに、前段音量指定部２７１Ｂiからの前段減衰率ＶＬＦiを受ける。そして、後段音量指定部２７２Ｂi1は、総減衰率ＶＬＴi1から前段減衰率ＶＬＦiを減算し、後段音量調整回路２２２Ｂi1に設定する後段減衰率を導出する。
【０１０１】
また、後段音量指定部２７２Ｂi2は、制御部２５２Ｂからの総減衰率ＶＬＴi2を受けるとともに、前段音量指定部２７１Ｂiからの前段減衰率ＶＬＦiを受ける。そして、後段音量指定部２７２Ｂi2は、総減衰率ＶＬＴi2から前段減衰率ＶＬＦiを減算し、後段音量調整回路２２２Ｂi2に設定する後段減衰率を導出する。
【０１０２】
こうして前段減衰率ＶＬＦiと後段減衰率が導出されると、前段音量指定部２７１Ｂiは、前段減衰率ＶＬＦiが指定された前段音量制御指令ＶＦＣiを生成し、この前段音量制御指令ＶＦＣiを前段音量調整回路２１０Ｂiへ向けて発行する。また、後段音量指定部２７２Ｂi1は、後段減衰率が指定された後段音量制御指令ＶＢＣi1を生成し、この後段音量制御指令ＶＢＣi1を後段音量調整回路２２２Ｂi1へ向けて発行する。また、後段音量指定部２７２Ｂi2は、後段減衰率が指定された後段音量制御指令ＶＢＣi2を生成し、この後段音量制御指令ＶＢＣi2を後段音量調整回路２２２Ｂi2へ向けて発行する（図９参照）。
【０１０３】
なお、前段音量調整指令ＶＦＣiと後段音量調整指令ＶＢＣi1，ＶＢＣi2は、それぞれ、同時に前段音量調整回路２１０Ｂiと後段音量調整回路２２２Ｂi1及び後段音量調整回路２２２Ｂi2へ向けて発行され、前述した図５に示されるように、各音量調整回路に設定される減衰率は、所定時間ＴＴをかけて連続的に変化する。この所定時間ＴＴは、第１実施形態の場合と同様に、聴取者に音量変動の違和感を与えない時間となっており、実験、シミュレーション、経験等に基づいて予め定められる。
【０１０４】
このようにして音響調整部１１３Ｂにおいて音響調整処理が施された信号は、音声出力信号ＡＯＳL1〜ＡＯＳR2として、それぞれ、音出力ユニット１３０L1〜１３０R2へ向けて送られる（図６参照）。そして、その調整結果に基づく再生音声がスピーカ１３１L1〜１３１R2から、音場空間へ向けて出力される。
【０１０５】
以上説明したように、本第２実施形態では、イコライザ回路２２１Ｂi1，２２１Ｂi2（ｉ＝Ｌ，Ｒ）から出力されるイコライザ調整信号ＰＥＳi1，ＰＥＳi2のレベルを検出し、レベル値が大きい信号に基づいて、前段音量調整回路２１０Ｂiに設定する前段減衰率ＶＬＦiを導出する。ここで、レベル検出を行ったイコライザ調整信号ＰＥＳi1，ＰＥＳi2は、入力音響信号であるチャンネル処理信号ＰＣＳiとイコライザ回路２２１Ｂi1，２２１Ｂi2に設定したカット量及びカット量を反映したものとなっている。このため、導出した前段減衰率ＶＬＦiは、音響補正後の信号であるイコライザ調整信号ＰＥＳi1，ＰＥＳi2が歪まない最大音量となるように指定することができる。これにより、イコライザ調整信号ＰＥＳi1，ＰＥＳi2が歪むことなく、かつ、出力音響信号である音声出力信号ＡＯＳi1，ＡＯＳi2のＳＮ比を良好にすることができる。
【０１０６】
また、本第２実施形態では、後段音量調整回路２２２Ｂi1に設定する後段減衰率は、総減衰率ＶＬＴi1から前段減衰率ＶＬＦiを減算することにより導出し、後段音量調整回路２２２Ｂi2に設定する後段減衰率は、総減衰率ＶＬＴi2から前段減衰率ＶＬＦiを減算することにより導出する。このため、利用者は、音量調整に関しては総減衰率ＶＬＴi1，ＶＬＴi2のみを指定すればよく、前段音量調整回路２１０Ｂiと後段音量調整回路２２２Ａi1の制御、及び前段音量調整回路２１０Ｂiと後段音量調整回路２２２Ａi2の制御を簡略化することができる。
【０１０７】
また、本第２実施形態では、前段音量調整回路２１０Ｂi、後段音量調整回路２２２Ｂi1及び後段音量調整回路２２２Ｂi2に設定する各減衰率を変化させる際に、所定時間をかけて連続的に変化させる。このため、各減衰率を瞬時に切り換えた場合に発生するパルスの発生を防ぐことができる。
【０１０８】
また、本第２実施形態では、前段減衰率ＶＬＦiの導出に際して、前段音量指定部２７１Ｂiは、前段音量調整信号ＰＶＳiをイコライザ回路２２１Ｂi1，２２１Ｂi2で音響補正した際に、補正後の信号であるイコライザ調整信号ＰＥＳi1，ＰＥＳi2が歪まない最大音量となるように算出された算出前段減衰率が最小総減衰率以下の場合には、当該算出前段減衰率を前段減衰率ＶＬＦiとして導出する。一方、前段音量指定部２７１Ｂiは、算出前段減衰率が最小総減衰率よりも大きい場合には、最小総減衰率を前段減衰率ＶＬＦiとして導出する。
【０１０９】
したがって、本第２実施形態によれば、楽曲等を鑑賞する際に、音響補正による歪の発生を防止しつつ、入力音響信号の信号レベルにかかわりなく、高ＳＮ比の音響信号を得ることができる。
【０１１０】
［第３実施形態］
次に、本発明の第３実施形態について、主に図１０〜図１２を参照しつつ、適宜他の図を参照して説明する。なお、本第３実施形態においても、音響補正の処理としてイコライジング処理を施す場合を例示して説明する。
【０１１１】
＜構成＞
図１０には、本第３実施形態に係る音響装置１００Ｃの概略的な構成がブロック図にて示されている。以下、上記の第１実施形態に係る音響装置１００Ａとの相違点に主に着目して、音響装置１００Ｃの構成を説明する。
【０１１２】
この図１０に示されるように、音響装置１００Ｃは、音響装置１００Ａと比べて、制御ユニット１１０Ａに代えて制御ユニット１１０Ｃを備える点が異なっている。
【０１１３】
制御ユニット１１０Ｃは、音響装置１００Ｃの全体を統括制御する。この制御ユニット１１０Ｃは、第１実施形態における制御ユニット１１０Ａと比べて、制御処理部１１１Ａに代えて制御処理部１１１Ｃを備える点と、オーディオ処理部１１２から出力されるチャンネルＰＣＳL，ＰＣＳRが音響調整部１１３Ａへ向けて送られるとともに、制御処理部１１１Ｃへ向けても送られる点と、個別音響調整部１１４ＡL，１１４ＡRからイコライザ調整信号ＰＥＳL，ＰＥＳRが制御処理部１１１Ｃへ向けて出力されていない点が異なっている。
【０１１４】
制御処理部１１１Ｃは、他の構成要素を制御しつつ、音響装置１００Ｃの機能を発揮させる。この制御処理部１１１Ｃは、図１１に示されるように、第１実施形態における制御処理部１１１Ａと比べて、個別音量制御部２５１ＡLに代えて個別音量制御部２５１ＣLを備える点と、個別音量制御部２５１ＡRに代えて個別音量制御部２５１ＣRを備える点と、制御部２５２Ａに代えて制御部２５２Ｃを備える点が異なっている。
【０１１５】
個別音量制御部２５１Ｃi（ｉ＝Ｌ，Ｒ）は、図１２に示されるように、第１実施形態における個別音量制御部２５１Ａiと比べて、レベル検出部２６０Ａiに代えてレベル検出部２６０Ｃiを備える点と、個別音量指定部２７０Ａiに代えて個別音量指定部２７０Ｃiを備える点が異なっている。
【０１１６】
レベル検出部２６０Ｃi（ｉ＝Ｌ，Ｒ）のそれぞれは、第１実施形態におけるレベル検出部２６０Ａiと同様に、不図示のピーク値検出回路等を備えて構成されている。このレベル検出部２６０Ｃiは、第１実施形態におけるレベル検出部２６０Ａiと比べて、オーディオ処理部１１２からのチャンネル処理信号ＰＳＣiのレベルを検出する点が異なっている。
【０１１７】
個別音量指定部２７０Ｃi（ｉ＝Ｌ，Ｒ）は、第１実施形態における個別音量指定部２７０Ｃiと比べて、前段音量指定部２７１Ａiに代えて前段音量指定部２７１Ｃiを備える点が異なっている。
【０１１８】
前段音量指定部２７１Ｃi（ｉ＝Ｌ，Ｒ）は、制御部２５２Ｃからの総減衰率ＶＴＬi及びレベル検出部２６０Ｃiからの信号ＬＶＤiを受けるとともに、制御部２５２Ｃからのブースト量及びカット量の指定を含む設定指令ＥＱＣiを受ける。そして、前段音量指定部２７１Ｃiは、信号ＬＶＤi、設定指令ＥＱＣi及び総減衰率ＶＬＴiを考慮して、総減衰率ＶＬＴiよりも大きくならない範囲で、前段音量調整回路２１０Ａiに設定する前段信号減衰率ＶＬＦiを導出する。そして、前段音量指定部２７１Ｃiは、この前段減衰率ＶＬＦiを後段音量指定部２７２Ａiへ向けて送る。この後、前段音量指定部２７１Ｃiは、前段減衰率ＶＬＦiが指定された前段音量制御指令ＶＦＣiを、後段音量制御指令ＶＢＣiと同時に、前段音量調整回路２１０Ａiへ向けて発行する。
【０１１９】
なお、前段音量指定部２７１Ｃiは、第１実施形態の場合と同様に、前段音量調整信号ＰＶＳiをイコライザ回路２２１Ａiで音響補正した際に、補正後の信号であるイコライザ調整信号ＰＥＳiが歪まない最大音量となるように算出された算出前段減衰率が総減衰率ＶＬＴi以下の場合には、当該算出前段減衰率を前段減衰率ＶＬＦiとして指定する。一方、前段音量指定部２７１Ｃiは、算出前段減衰率が総減衰率ＶＬＴiよりも大きい場合には、総減衰率ＶＬＴiを前段減衰率ＶＬＦiとして指定する。
【０１２０】
図１１に戻り、制御部２５２Ｃは、操作入力ユニット１５０から受けた操作入力データＩＰＤを解析し、音響調整部１１３Ａにおける音響信号に対して、音量調整、音響補正等の音響調整の動作制御を行う。
【０１２１】
かかる音響調整の動作の制御に際して、制御部２５２Ｃは、操作入力データＩＰＤを解析し、指定された総減衰率ＶＬＴi（ｉ＝Ｌ，Ｒ）を、個別音量制御部２５１Ｃiへ向けて送る。
【０１２２】
また、制御部２５２Ｃは、かかる音響調整の動作の制御に際して、操作入力データＩＰＤを解析し、ブースト量、カット量の設定指令ＥＱＣi（ｉ＝Ｌ，Ｒ）を、個別音量調整部１１４Ａiへ向けて送るとともに、個別音量制御部２５１Ｃiへ向けて送る。
【０１２３】
＜動作＞
次に、上記のように構成された音響装置１００Ｃの動作について、音響調整部１１３Ａにおける音響信号の音響調整処理の動作に主に着目して説明する。
【０１２４】
前提として、第１実施形態の場合と同様に、イコライザ回路２２１Ａi（ｉ＝Ｌ，Ｒ）に設定するブースト量，カット量は、利用者により操作入力ユニット１５０を利用して、設定されているものとする。
【０１２５】
利用者が操作入力ユニット１５０に音声コンテンツを指定した再生指令を入力することにより、音響装置１００Ｃにおける音響信号の音響調整処理の動作が開始する。操作入力ユニット１５０からの再生指令を受けた制御処理部１１１Ｃは、ドライブユニット１２０を制御して、当該音声コンテンツのデータ読み出す。こうして読み出されたデータは、コンテンツデータＣＴＤとしてオーディオ処理部１１２へ向けて送られる。コンテンツデータＣＴＤを受けたオーディオ処理部１１２は、制御処理部１１１Ｃによる制御のもとで、コンテンツデータＣＴＤを、２個のチャンネル処理信号ＰＣＤL，ＰＣＤRに分離する。
【０１２６】
こうして分離されたチャンネル処理信号ＰＣＤLは、個別音響調整部１１４ＡLへ向けて送られるとともに、制御処理部１１１Ｃへ向けて送られる。また、チャンネル処理信号ＰＣＤRは、個別音響調整部１１４ＡRへ向けて送られるとともに、制御処理部１１１Ｃへ向けて送られる（図１０参照）。
【０１２７】
チャンネル処理信号ＰＣＳi（ｉ＝Ｌ，Ｒ）を受けた個別音響調整部１１４Ａiでは、第１実施形態の場合と同様に、まず、前段音量調整回路２１０Ａiにおいて、制御処理部１１１Ｃからの前段音量調整指令ＶＦＣiに従った音量調整が行われる。次いで、前段音量調整回路２１０Ａiにおいて音量調整が施された前段音量調整信号ＰＶＳiは、イコライザ回路２２１Ａiへ向けて出力され、当該イコライザ回路２２１Ａiにおいて音響補正が行われる。補正後の信号であるイコライザ調整信号ＰＥＳiは、後段音量調整回路２２２Ａiへ向けて送られ、後段音量調整回路２２２Ａiでは、制御処理部１１１Ｃからの後段音量調整指令ＶＢＣiに従った音量調整が行われる。
【０１２８】
かかる前段音量調整指令ＶＦＣiと後段音量調整指令ＶＢＣiは、制御処理部１１１Ｃの個別音量制御部２５１Ｃiにおいて発行される（図１１参照）。個別音量制御部２５１Ｃiにおいては、レベル検出部２６０Ｃiがオーディオ処理部１１２からのチャンネル処理信号ＰＣＳiを受け、ピーク値を検出する。この検出結果は、信号ＬＶＤiとして前段音量指定部２７１Ｃiへ向けて送る。
【０１２９】
また、制御部２５２Ｃから、ブースト量、カット量の設定指令ＥＱＣiが、前段音量指定部２７１Ｃiへ向けて送られる。
【０１３０】
信号ＬＶＤi、設定指令ＥＱＣi及び総減衰率ＶＴＬiを受けた前段音量指定部２７１Ｃiは、信号ＬＶＤi、設定指令ＥＱＣi及び総減衰率ＶＴＬiを考慮し、上述したようにして、前段音量調整回路２１０Ａiに設定する前段減衰率ＶＬＦiを算出する。この後、前段音量指定部２７１Ｃiは、前段減衰率ＶＬＦiを後段音量指定部２７２Ａiへ向けて送る。
【０１３１】
後段音量指定部２７２Ａiは、第１実施形態の場合と同様に、制御部２５２Ｃからの総減衰率ＶＬＴiを受けるとともに、前段音量指定部２７１Ｃiからの前段減衰率ＶＬＦiを受ける。そして、後段音量指定部２７２Ａiは、総減衰率ＶＬＴiから前段減衰率ＶＬＦiを減算し、後段音量調整回路２２２Ａiに設定する後段減衰率を導出する。
【０１３２】
こうして前段減衰率ＶＬＦiと後段減衰率が導出されると、前段音量指定部２７１Ｃiは、前段減衰率ＶＬＦiが指定された前段音量制御指令ＶＦＣiを生成し、この前段音量制御指令ＶＦＣiを前段音量調整回路２１０Ａiへ向けて発行する。また、後段音量指定部２７２Ａiは、後段減衰率が指定された後段音量制御指令ＶＢＣiを生成し、この後段音量制御指令ＶＢＣiを後段音量調整回路２２２Ａiへ向けて発行する（図１２参照）。
【０１３３】
なお、前段音量調整指令ＶＦＣiと後段音量調整指令ＶＢＣiは、それぞれ、同時に前段音量調整回路２１０Ａiと後段音量調整回路２２２Ａiへ向けて発行され、前述した図５に示されるように、各音量調整回路に設定される減衰率は、所定時間ＴＴをかけて連続的に変化する。この所定時間ＴＴは、聴取者に音量変動の違和感を与えない時間となっており、実験、シミュレーション、経験等に基づいて予め定められる。
【０１３４】
このようにして音響調整部１１３Ａにおいて音響調整処理が施された信号は、音声出力信号ＡＯＳL，ＡＯＳRとして、それぞれ、音出力ユニット１３０L，１３０Rへ向けて送られる（図１０参照）。そして、その調整結果に基づく再生音声がスピーカ１３１L，１３１Rから、音場空間へ向けて出力される。
【０１３５】
以上説明したように、本第３実施形態では、オーディオ処理部１１２から出力されるチャンネル処理信号ＰＣＳi（ｉ＝Ｌ，Ｒ）のレベルを検出し、この検出結果とイコライザ回路２２１Ａiに設定したカット量及びカット量とに基づいて、前段音量調整回路２１０Ａiに設定する前段減衰率ＶＬＦiを算出する。この前段減衰率ＶＬＦiは、入力音響信号であるチャンネル処理信号ＰＣＳiとイコライザ回路２２１Ａiに設定したブースト量及びカット量を反映したものとなっている。このため、算出した前段減衰率ＶＬＦiは、音響補正後の信号であるイコライザ調整信号ＰＥＳiが歪まない最大音量となるように指定することができる。これにより、イコライザ調整信号ＰＥＳiが歪むことなく、かつ、出力音響信号である音声出力信号ＡＯＳiのＳＮ比を良好にすることができる。
【０１３６】
また、本第３実施形態では、後段音量調整回路２２２Ａiに設定する後段減衰率は、総減衰率ＶＬＴiから前段減衰率ＶＬＦiを減算することにより導出する。このため、利用者は、音量調整に関しては総減衰率ＶＬＴiのみを指定すればよく、前段音量調整回路２１０Ａiと後段音量調整回路２２２Ａiの制御を簡略化することができる。
【０１３７】
また、本第３実施形態では、前段音量調整回路２１０Ａiと後段音量調整回路２２２Ａiに設定する各減衰率を変化させる際に、所定時間をかけて連続的に変化させる。このため、各減衰率を瞬時に切り換えた場合に発生するパルスの発生を防ぐことができる。
【０１３８】
また、本第３実施形態では、前段減衰率ＶＬＦiの導出に際して、前段音量指定部２７１Ｃiは、前段音量調整信号ＰＶＳiをイコライザ回路２２１Ａiで音響補正した際に、補正後の信号であるイコライザ調整信号ＰＥＳiが歪まない最大音量となるように算出された算出前段減衰率が総減衰率ＶＬＴi以下の場合には、当該算出前段減衰率を前段減衰率ＶＬＦiとして導出する。一方、前段音量指定部２７１Ｃiは、算出前段減衰率が総減衰率ＶＬＴiよりも大きい場合には、総減衰率ＶＬＴiを前段減衰率ＶＬＦiとして導出する。
【０１３９】
したがって、本第３実施形態によれば、楽曲等を鑑賞する際に、音響補正による歪の発生を防止しつつ、入力音響信号の信号レベルにかかわりなく、高ＳＮ比の音響信号を得ることができる。
【０１４０】
［第４実施形態］
次いで、本発明の第４実施形態について、主に図１３〜図１５を参照しつつ、適宜他の図を参照して説明する。なお、本第４実施形態においても、音響補正の処理としてイコライジング処理を施す場合を例示して説明する。
【０１４１】
＜構成＞
図１３には、本第４実施形態に係る音響装置１００Ｄの概略的な構成がブロック図にて示されている。以下、上記の第２実施形態に係る音響装置１００Ｂとの相違点に主に着目して、音響装置１００Ｄの構成を説明する。
【０１４２】
この図１３に示されるように、音響装置１００Ｄは、音響装置１００Ｂと比べて、制御ユニット１１０Ｂに代えて制御ユニット１１０Ｄを備える点が異なっている。
【０１４３】
制御ユニット１１０Ｄは、音響装置１００Ｄの全体を統括制御する。この制御ユニット１１０Ｄは、第２実施形態における制御ユニット１１０Ｂと比べて、制御処理部１１１Ｂに代えて制御処理部１１１Ｄを備える点と、オーディオ処理部１１２から出力されるチャンネルＰＣＳL，ＰＣＳRが音響調整部１１３Ｂへ向けて送られるとともに、制御処理部１１１Ｄへ向けても送られる点と、個別音響調整部１１４ＢL，１１４ＢRからイコライザ調整信号ＰＥＳLj，ＰＥＳRj（ｊ＝１，２）が制御処理部１１１Ｄへ向けて出力されていない点が異なっている。
【０１４４】
制御処理部１１１Ｄは、他の構成要素を制御しつつ、音響装置１００Ｄの機能を発揮させる。この制御処理部１１１Ｄは、図１４に示されるように、第２実施形態における制御処理部１１１Ｂと比べて、個別音量制御部２５１ＢLに代えて個別音量制御部２５１ＤLを備える点と、個別音量制御部２５１ＢRに代えて個別音量制御部２５１ＤRを備える点と、制御部２５２Ｂに代えて制御部２５２Ｄを備える点が異なっている。
【０１４５】
個別音量制御部２５１Ｄi（ｉ＝Ｌ，Ｒ）は、図１５に示されるように、第２実施形態における個別音量制御部２５１Ｂiと比べて、レベル検出部２６０Ｂi1，２６０Ｂi2に代えてレベル検出部２６０Ｃiを備える点と、個別音量指定部２７０Ｂiに代えて個別音量指定部２７０Ｄiを備える点が異なっている。
【０１４６】
レベル検出部２６０Ｃiは、第３実施形態の場合と同様に構成されている。
【０１４７】
個別音量指定部２７０Ｄi（ｉ＝Ｌ，Ｒ）は、第２実施形態における個別音量指定部２７０Ｂiと比べて、前段音量指定部２７１Ｂiに代えて前段音量指定部２７１Ｄiを備える点が異なっている。
【０１４８】
前段音量指定部２７１Ｄi（ｉ＝Ｌ，Ｒ）は、制御部２５２Ｄからの総減衰率ＶＬＴi1，ＶＬＴi2及びレベル検出部２６０Ｃiからの信号ＬＶＤiを受けるとともに、制御部２５２Ｄからのブースト量及びカット量の指定を含む設定指令ＥＱＣi1，ＥＱＣi2を受ける。そして、前段音量指定部２７１Ｄiは、信号ＬＶＤi、設定指令ＥＱＣi1，ＥＱＣi2及び総減衰率ＶＬＴi1，ＶＬＴi2を考慮して、総減衰率ＶＬＴi1，ＶＬＴi2のうちで大きくない総減衰率（以下、「最小総減衰率」ともいう）よりも大きくならない範囲で、前段音量調整回路２１０Ｂiに設定する前段信号減衰率ＶＬＦiを算出する。そして、前段音量指定部２７１Ｄiは、この前段減衰率ＶＬＦiを後段音量指定部２７２Ｂi1へ向けて送るとともに、後段音量指定部２７２Ｂi2へ向けて送る。この後、前段音量指定部２７１Ｄiは、前段減衰率ＶＬＦiが指定された前段音量制御指令ＶＦＣiを、後段音量制御指令ＶＢＣi1，ＶＢＣi2と同時に、前段音量調整回路２１０Ｂiへ向けて発行する。
【０１４９】
なお、前段音量指定部２７１Ｄiは、第２実施形態の場合と同様に、前段音量調整信号ＰＶＳiをイコライザ回路２２１Ｂi1，２２１Ｂi2で音響補正した際に、補正後の信号であるイコライザ調整信号ＰＥＳi1，ＰＥＳi2が歪まない最大音量となるように算出された算出前段減衰率が最小総減衰率以下の場合には、当該算出前段減衰率を前段減衰率ＶＬＦiとして指定する。一方、前段音量指定部２７１Ｄiは、算出前段減衰率が最小総減衰率よりも大きい場合には、最小総減衰率を前段減衰率ＶＬＦiとして指定する。
【０１５０】
図１４に戻り、制御部２５２Ｄは、操作入力ユニット１５０から受けた操作入力データＩＰＤを解析し、音響調整部１１３Ｂにおける音響信号に対して、音量調整、音響補正等の音響調整の動作制御を行う。
【０１５１】
かかる音響調整の動作の制御に際して、制御部２５２Ｄは、操作入力データＩＰＤを解析し、指定された総減衰率ＶＬＴi1，ＶＬＴi2（ｉ＝Ｌ，Ｒ）を、個別音量制御部２５１Ｄiへ向けて送る。
【０１５２】
また、制御部２５２Ｄは、かかる音響調整の動作の制御に際して、操作入力データＩＰＤを解析し、ブースト量、カット量の設定指令ＥＱＣi1，ＥＱＣi2（ｉ＝Ｌ，Ｒ）のそれぞれを、個別音量調整部１１４Ｂiへ向けて送るとともに、個別音量制御部２５１Ｄiへ向けて送る。
【０１５３】
＜動作＞
次に、上記のように構成された音響装置１００Ｄの動作について、音響調整部１１３Ｂにおける音響信号の音響調整処理の動作に主に着目して説明する。
【０１５４】
前提として、第２実施形態の場合と同様に、イコライザ回路２２１Ｂi1，２２１Ｂi2（ｉ＝Ｌ，Ｒ）に設定するブースト量，カット量は、利用者により操作入力ユニット１５０を利用して、設定されているものとする。
【０１５５】
利用者が操作入力ユニット１５０に音声コンテンツを指定した再生指令を入力することにより、音響装置１００Ｄにおける音響信号の音響調整処理の動作が開始する。操作入力ユニット１５０からの再生指令を受けた制御処理部１１１Ｄは、ドライブユニット１２０を制御して、当該音声コンテンツのデータ読み出す。こうして読み出されたデータは、コンテンツデータＣＴＤとしてオーディオ処理部１１２へ向けて送られる。コンテンツデータＣＴＤを受けたオーディオ処理部１１２は、制御処理部１１１Ｂによる制御のもとで、コンテンツデータＣＴＤを、２個のチャンネル処理信号ＰＣＤL，ＰＣＤRに分離する。
【０１５６】
こうして分離されたチャンネル処理信号ＰＣＤLは、個別音響調整部１１４ＢLへ向けて送られるとともに、制御処理部１１１Ｄへ向けて送られる。また、チャンネル処理信号ＰＣＤRは、個別音響調整部１１４ＢRへ向けて送られるとともに、制御処理部１１１Ｄへ向けて送られる（図１３参照）。
【０１５７】
チャンネル処理信号ＰＣＳi（ｉ＝Ｌ，Ｒ）を受けた個別音響調整部１１４Ｂiのそれぞれにおいては、第２実施形態の場合と同様に、まず、前段音量調整回路２１０Ｂiにおいて、制御処理部１１１Ｄからの前段音量調整指令ＶＦＣiに従った音量調整が行われる。次いで、前段音量調整回路２１０Ｂiにおいて音量調整が施された前段音量調整信号ＰＶＳiは、イコライザ回路２２１Ｂi1へ向けて出力されるとともに、イコライザ回路２２１Ｂi2へ向けて出力される。
【０１５８】
イコライザ回路２２１Ｂi1では、前段音量調整信号ＰＶＳiの音響補正が行われ、音響補正が施されたイコライザ調整信号ＰＥＳi1が、後段音量調整回路２２２Ｂi1へ向けて出力される。イコライザ調整信号ＰＥＳi1を受けた後段音量調整回路２２２Ｂi1では、制御処理部１１１Ｄからの後段音量調整指令ＶＢＣi1に従った音量調整が行われる。また、イコライザ回路２２１Ｂi2では、前段音量調整信号ＰＶＳiの音響補正が行われ、音響補正が施されたイコライザ調整信号ＰＥＳi2が、後段音量調整回路２２２Ｂi2へ向けて出力される。このイコライザ調整信号ＰＥＳi2を受けた後段音量調整回路２２２Ｂi2では、制御処理部１１１Ｄからの後段音量調整指令ＶＢＣi2に従った音量調整が行われる。
【０１５９】
かかる前段音量調整指令ＶＦＣi及び後段音量調整指令ＶＢＣi1，ＶＢＣi2は、制御処理部１１１Ｄの個別音量制御部２５１Ｄiにおいて発行される（図１４参照）。個別音量制御部２５１Ｄiにおいては、レベル検出部２６０Ｃiがオーディオ処理部１１２からのチャンネル処理信号ＰＣＳiを受け、ピーク値を検出する。この検出結果は、信号ＬＶＤiとして前段音量指定部２７１Ｄiへ向けて送られる。
【０１６０】
また、制御部２５２Ｄから、ブースト量、カット量の設定指令ＥＱＣi1，ＥＱＣi2が、前段音量指定部２７１Ｄiへ向けて送られる。
【０１６１】
信号ＬＶＤi、設定指令ＥＱＣi1，ＥＱＣi2及び総減衰率ＶＬＴi1，ＶＬＴi2を受けた前段音量指定部２７１Ｄiは、この信号ＬＶＤi、設定指令ＥＱＣi1，ＥＱＣi2及び総減衰率ＶＬＴi1，ＶＬＴi2を考慮して、上述のようにして、前段音量調整回路２１０Ｂiに設定する前段減衰率ＶＬＦiを導出する。この後、前段音量指定部２７１Ｄiは、前段減衰率ＶＬＦiを後段音量指定部２７２Ｂi1へ向けて送るとともに、後段音量指定部２７２Ｂi2へ向けて送る。
【０１６２】
後段音量指定部２７２Ｂi1は、制御部２５２Ｄからの総減衰率ＶＬＴi1を受けるとともに、前段音量指定部２７１Ｄiからの前段減衰率ＶＬＦiを受ける。そして、後段音量指定部２７２Ｂi1は、総減衰率ＶＬＴi1から前段減衰率ＶＬＦiを減算し、後段音量調整回路２２２Ｂi1に設定する後段減衰率を導出する。
【０１６３】
また、後段音量指定部２７２Ｂi2は、制御部２５２Ｄからの総減衰率ＶＬＴi2を受けるとともに、前段音量指定部２７１Ｄiからの前段減衰率ＶＬＦiを受ける。そして、後段音量指定部２７２Ｂi2は、総減衰率ＶＬＴi2から前段減衰率ＶＬＦiを減算し、後段音量調整回路２２２Ｂi2に設定する後段減衰率を導出する。
【０１６４】
こうして前段減衰率ＶＬＦiと後段減衰率が導出されると、前段音量指定部２７１Ｄiは、前段減衰率ＶＬＦiが指定された前段音量制御指令ＶＦＣiを生成し、この前段音量制御指令ＶＦＣiを前段音量調整回路２１０Ｂiへ向けて発行する。また、後段音量指定部２７２Ｂi1は、後段減衰率が指定された後段音量制御指令ＶＢＣi1を生成し、この後段音量制御指令ＶＢＣi1を後段音量調整回路２２２Ｂi1へ向けて発行する。また、後段音量指定部２７２Ｂi2は、後段減衰率が指定された後段音量制御指令ＶＢＣi2を生成し、この後段音量制御指令ＶＢＣi2を後段音量調整回路２２２Ｂi2へ向けて発行する（図１５参照）。
【０１６５】
なお、前段音量調整指令ＶＦＣiと後段音量調整指令ＶＢＣi1，ＶＢＣi2は、それぞれ、同時に前段音量調整回路２１０Ｂiと後段音量調整回路２２２Ｂi1及び後段音量調整回路２２２Ｂi2へ向けて発行され、前述した図５に示されるように、各音量調整回路に設定される減衰率は、所定時間ＴＴをかけて連続的に変化する。この所定時間ＴＴは、第１実施形態の場合と同様に、聴取者に音量変動の違和感を与えない時間となっており、実験、シミュレーション、経験等に基づいて予め定められる。
【０１６６】
このようにして音響調整部１１３Ｂにおいて音響調整処理が施された信号は、音声出力信号ＡＯＳL1〜ＡＯＳR2として、それぞれ、音出力ユニット１３０L1〜１３０R2へ向けて送られる（図１３参照）。そして、その調整結果に基づく再生音声がスピーカ１３１L1〜１３１R2から、音場空間へ向けて出力される。
【０１６７】
以上説明したように、本第４実施形態では、オーディオ処理部１１２から出力されるチャンネル処理信号ＰＣＳi（ｉ＝Ｌ，Ｒ）のレベルを検出し、この検出結果とイコライザ回路２２１Ｂi1，２２１Ｂi2に設定したブースト量及びカット量とに基づいて、前段音量調整回路２１０Ｂiに設定する前段減衰率ＶＬＦiを算出する。この前段減衰率ＶＬＦiは、入力音響信号であるチャンネル処理信号ＰＣＳiとイコライザ回路２２１Ｂi1，２２１Ｂi1に設定したブースト量及びカット量を反映したものとなっている。このため、算出した前段減衰率ＶＬＦiは、音響補正後の信号であるイコライザ調整信号ＰＥＳiが歪まない最大音量となるように指定することができる。これにより、イコライザ調整信号ＰＥＳi１，ＰＥＳi2が歪むことなく、かつ、出力音響信号である音声出力信号ＡＯＳi1，ＡＯＳi2のＳＮ比を良好にすることができる。
【０１６８】
また、本第４実施形態では、後段音量調整回路２２２Ｂi1，２２２Ｂi2に設定する後段減衰率は、総減衰率ＶＬＴi1，ＶＬＴi2から前段減衰率ＶＬＦiを減算することにより導出する。このため、利用者は、音量調整に関しては総減衰率ＶＬＴi1，ＶＬＴi2のみを指定すればよく、前段音量調整回路２１０Ｂiと後段音量調整回路２２２Ｂi1，２２２i2の制御を簡略化することができる。
【０１６９】
また、本第４実施形態では、前段音量調整回路２１０Ｂi、後段音量調整回路２２２Ｂi1及び後段音量調整回路２２２Ｂi2に設定する各減衰率を変化させる際に、所定時間をかけて連続的に変化させる。このため、各減衰率を瞬時に切り換えた場合に発生するパルスの発生を防ぐことができる。
【０１７０】
また、本第４実施形態では、上述の第２実施形態の場合と同様に、前段減衰率ＶＬＦiの導出に際して、前段音量指定部２７１Ｄiは、前段音量調整信号ＰＶＳiをイコライザ回路２２１Ｂi1，２２１Ｂi2で音響補正した際に、補正後の信号であるイコライザ調整信号ＰＥＳi1，ＰＥＳi2が歪まない最大音量となるように算出された算出前段減衰率が最小総減衰率以下の場合には、当該算出前段減衰率を前段減衰率ＶＬＦiとして導出する。一方、前段音量指定部２７１Ｄiは、算出前段減衰率が最小総減衰率よりも大きい場合には、最小総減衰率を前段減衰率ＶＬＦiとして導出する。
【０１７１】
したがって、本第４実施形態によれば、楽曲等を鑑賞する際に、音響補正による歪の発生を防止しつつ、入力音響信号の信号レベルにかかわりなく、高ＳＮ比の音響信号を得ることができる。
【０１７２】
［実施形態の変形］
本発明は、上記の実施形態に限定されるものではなく、様々な変形が可能である。
【０１７３】
例えば、上記の第１〜第４実施形態では、前段音量制御部と後段音量制御部の間に、音響補正回路としてイコライザ回路を備えることとした。これに対して、音響補正回路は、イコライザ回路に限定されるものではなく、ラウドネス回路やトーンコントロール回路等であってもよいし、または、イコライザ回路、ラウドネス回路、トーンコントロール回路等の複数の回路を組み合わせたものであってもよい。
【０１７４】
また、上記の第１〜第４実施形態では、オーディオ処理部から出力される信号はアナログ音響信号であり、音響調整部はアナログ音響信号に対して音響調整をすることとした。これに対して、オーディオ処理部から出力される信号をデジタル音響信号とし、音響調整部はデジタル音響信号に対して音響調整をするものであってもよい。
【０１７５】
また、上記の第２及び第４実施形態では、２個の音響処理部を備えることとしたが、３個以上の音響処理部を備える構成であってもよい。
【０１７６】
また、上記の第１〜第４実施形態では、ドライブユニット１２０をＣＤのドライブユニットとしたが、固定ディスクやＤＶＤのドライブユニットとすることもできる。さらに、ラジオ放送や地上デジタルテレビ放送等の放送波受信回路や外部機器の音声入力回路等とすることもできる。
【０１７７】
なお、上記の実施形態における制御ユニット１１０Ａ〜１１０Ｄの一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１７８】
【図１】本発明の第１実施形態に係る音響装置の構成を概略的に示すブロック図である。
【図２】図１の個別音響調整部の構成を説明するためのブロック図である。
【図３】図１の制御処理部の構成を説明するためのブロック図である。
【図４】図３の個別音量制御部の構成を説明するためのブロック図である。
【図５】前段減衰率と後段減衰率の変化を説明するための図である。
【図６】本発明の第２実施形態に係る音響装置の構成を概略的に示すブロック図である。
【図７】図６の個別音響調整部の構成を説明するためのブロック図である。
【図８】図６の制御処理部の構成を説明するためのブロック図である。
【図９】図８の個別音量制御部の構成を説明するためのブロック図である。
【図１０】本発明の第３実施形態に係る音響装置の構成を概略的に示すブロック図である。
【図１１】図１０の制御処理部の構成を説明するためのブロック図である。
【図１２】図１１の個別音量制御部の構成を説明するためのブロック図である。
【図１３】本発明の第４実施形態に係る音響装置の構成を概略的に示すブロック図である。
【図１４】図１３の制御処理部の構成を説明するためのブロック図である。
【図１５】図１４の個別音量制御部の構成を説明するためのブロック図である。
【符号の説明】
【０１７９】
１００Ａ〜１００Ｄ      …  音響装置
１５０                  …  操作入力ユニット（指定入力手段）
２１０Ａi，２１０Ｂi    …  前段音量調整回路（前段音量調整手段）
２２０Ａi               …  音響処理部（音響処理手段）
２２０Ｂi1，２２０Ｂi2  …  音響処理部（音響処理手段）
２６０Ａi               …  レベル検出部（検出手段）
２６０Ｂi1，２６０Ｂi2  …  レベル検出部（検出手段）
２６０Ｃi               …  レベル検出部（検出手段）
２７１Ａi〜２７１Ｄi    …  前段音量指定部（前段減衰率制御手段）
２７２Ａi               …  後段音量指定部（後段減衰率制御手段）
２７２Ｂi1，２７２Ｂi2  …  後段音量指定部（後段減衰率制御手段）
【図１】
2009077199.tif 000003
【図２】
2009077199.tif 000004
【図３】
2009077199.tif 000005
【図４】
2009077199.tif 000006
【図５】
2009077199.tif 000007
【図６】
2009077199.tif 000008
【図７】
2009077199.tif 000009
【図８】
2009077199.tif 000010
【図９】
2009077199.tif 000011
【図１０】
2009077199.tif 000012
【図１１】
2009077199.tif 000013
【図１２】
2009077199.tif 000014
【図１３】
2009077199.tif 000015
【図１４】
2009077199.tif 000016
【図１５】
2009077199.tif 000017